(57)【要約】      （修正有）【課題】点字ブロック、路面上に於いて視覚障害者の使用する杖の石突き部分が小さな凹凸に強く接触しても突っかかり止まる事なく乗り越えることができ、手首、指などを痛める事なく使いかってが良く簡単に使え、より早く歩行できるように杖の先端の石突き部分に全方向に回転可能な球体を付設した視覚障害者が使用する杖を提供する。【解決手段】視覚障害者の使用する杖の先端の石突き部分に、全方向に回転可能に球体１を収容し、ホルダー５の内側に凸部３を設け、球体１が落下しないようにした。【選択図】図１
0003175565.tif 000002
【実用新案登録請求の範囲】
【請求項１】
球体が収納される空間部を形成するホルダーの一端に杖の棒状体が嵌合する孔を穿ち，他端に前記球体の一部が露出するように該球体の直径よりも小さな開口部を形成する先端部に、内部に向け突部を設けて前記球体の離脱防止手段として課題を解決している盲人用杖の先端部品。
【考案の詳細な説明】
【技術分野】
【０００１】
この考案は、視覚障害者が歩行に使用する盲人用安全杖（白杖）の石突き部分に全方    向に回転可能な球体を符設した先端部品に関するものである。                        
【背景技術】
【０００２】
従来の視覚障害者の使用する盲人用安全杖（白杖）の石突きとして着地部分に本体の    摩耗を防止するために軽金属やプラスチックなどでできたキャップを被せたものが使    われている。視覚障害者は白杖歩行訓練で、タッチテクニック（２点突き）として白    杖を持つ手を体の中心に保持して扇形に左右にふる、白杖の先が地面につくようにリ    ズムよく振る、スライドテクニックでは白杖の先を地面に接触させたまま、タッチテ    クニックと同様に左右に振る（段差などは見つけやすいが、引っかかりやすい）を学    習するが凹凸部につきあたりとまるなど振りにくく滑らせにくい状況を目にしている    。視覚障害者はその状況で探る操作を繰り返して、安全を確認しながら歩行している    。                                                                            
【先行技術文献】
【特許文献】
【０００３】
特願平７−６0４８５号公報
【０００４】
特願２００７−５４５２４８公報
【考案の概要】
【考案が解決しようとする課題】
【０００５】
視覚障害者は舗装道路、点字ブロック等で盲人安全杖をすばやく路面上の状況を探る    動きを指導員から学習（タッチテクニック、スライドテクニック等）するが高い技術    で素早い動作と強い力と手の指に伝わる感触が必要である。そのために、操作が疎か    になることがあり、それが原因で転倒などにつながったり、進む方向がずれたり又早    く歩くことができないという問題もあった。又指、手首等疲れる問題もあった。特に    白杖を４０°前後位で前方に滑らす時ゆるやかに円弧状の膨らみのある先端の底の真    ん中にある頭の部分が凸部に突っかかる事がある。特願平７−６0４８５は地面に接    触させながら前進するが急に左右に振りにくいことがある。特願２００７−５４５２    ４８は前進と左右には効果があるが斜め方向を探る時、浅く細い窪みの感触には疑問    がある。本発明は、この課題を解消するためになされたものである。
【課題を解決するための手段】
【０００６】
杖の先端の石突き部分にある空間部分に於いて全方向に回転可能に抱持された球体の    下部の露出してる部分が路上の小さな突起物や点字ブロック上で杖の動きにより凹凸    にぶつかると空間部分から一部露出している全方向に回転する球体が回転して手に感    じる強い衝撃を回避しながら凹凸を乗り越えるようにするために、一端に棒状体が嵌    合する孔を穿ち、他端に球体が収納される空間部を形成するとともに該空間部に球体    を一部が露出するように収納し、前記空間部の先端部に内部に向け凸部を設けて前記    球体の離脱防止手段として課題を解決している盲人用杖の先端部品。
【考案の効果】
【０００７】
舗装道路、点字ブロック上等で盲人の使用する杖の石突き部分にある空間部分で全方    向に回転可能に抱持された球体を持つ杖を使用する人が前進する時又は前方の左右を    確認する時凹凸に強く接触すると球体は回転して凹凸を乗り越え突っかかる事無く衝    撃も少なく、手首を痛める事無く早く歩くことができる。
【図面の簡単な説明】
【０００８】
【図１】本考案の1実施例をしめす断面図である。
【図２】本考案の他の実施例を示す断面図である。
【図３】更に他の実施例を示す断面図である
【実施例１】
【０００９】
図１は、ほん考案の1実施例を示す断面図であり先端面が球体１の直経より小さ        い直径で開口する筒状の空間部２を形成し、この空間部内に、一部が露出するよ        うに球体１を収納して、つば付きキャップ７で球体１を挿入する側の開口面をネ        ジ６により固定して塞ぎ、このつば付きキャップ７の杖の棒状体４が嵌合してい        る杖の先端部の構造を有する例であり、球体１の離脱防止の為の手段として、ホ        ルダー５の先端開口面を絞って球体１の直径よりも小さな開口としている。
【実施例２】
【００１０】
図２は他の実施例であり、棒状体４が嵌合している下部先端部が球体１の直経と        同じ直径で開口する筒状の空間部２を形成し一部が露出するように球体１を収納        しているホルダー５に於いて凸部３を空間部２に向けて下よりネジ６で固定して        いる例であり球体１の離脱防止の為の手段として、先端開口面は球体１の直径よ        りも小さな開口としている。
【実施例３】
【００１１】
図３は更に他の実施例であり、棒状体４が嵌合している下部先端部が球体１の直        経と同じ直径で開口する筒状の空間部２を形成し一部が露出するように球体１を        収納しているホルダー５於いて凸部３を空間部２に向けて横よりネジ６で固定し        ている例であり球体１の離脱防止の為の手段として、先端開口面は球体１の直径        よりも小さな開口としている。
【符号の説明】
【００１２】
１  球体
２  空間部
３  凸部
４  棒状体
５  ホルダー
６  ネジ
７  キャップ
８  キャップのつば
【図１】
0003175565.tif 000003
【図２】
0003175565.tif 000004
【図３】
0003175565.tif 000005
【手続補正書】
【提出日】平成24年3月26日(2012.3.26)
【手続補正１】
【補正対象書類名】実用新案登録請求の範囲
【補正対象項目名】全文
【補正方法】変更
【補正の内容】
【実用新案登録請求の範囲】
【請求項１】
球体が収納される空間部を形成するホルダーの一端に杖の棒状体が嵌合する孔を穿ち、他端に前記球体の一部が露出するように該球体の直径よりも小さな開口部を形成する先端部に、内部に向け凸部を設けて前記球体の離脱防止手段として課題を解決している盲人用杖の先端部品。
【手続補正３】
【補正対象書類名】明細書
【補正対象項目名】０００９
【補正方法】変更
【補正の内容】
【０００９】
図１は、ほん考案の1実施例を示す断面図であり先端面が球体１の直径より小さい直径で開口する筒状の空間部２を形成し、この空間部内に、一部が露出するように球体１を収納して、つば付きキャップ７で球体１を挿入する側の開口面をネジ６により固定して塞ぎ、このつば付きキャップ７の杖の棒状体４が嵌合している杖の先端部の構造を有する例であり、球体１の離脱防止の為の手段として、ホルダー５の先端開口面を絞って球体１の直径よりも小さな開口としている。
【手続補正４】
【補正対象書類名】明細書
【補正対象項目名】００１０
【補正方法】変更
【補正の内容】
【００１０】
図２は他の実施例であり、棒状体４が嵌合している下部先端部が球体１の直径と同じ直径で開口する筒状の空間部２を形成し一部が露出するように球体１を収納しているホルダー５に於いて凸部３を空間部２に向けて下よりネジ６で固定している例であり球体１の離脱防止の為の手段として、先端開口面は球体１の直径よりも小さな開口としている。
【手続補正５】
【補正対象書類名】明細書
【補正対象項目名】００１１
【補正方法】変更
【補正の内容】
【００１１】
図３は更に他の実施例であり、棒状体４が嵌合している下部先端部が球体１の直径と同じ直径で開口する筒状の空間部２を形成し一部が露出するように球体１を収納しているホルダー５於いて凸部３を空間部２に向けて横よりネジ６で固定している例であり球体１の離脱防止の為の手段として、先端開口面は球体１の直径よりも小さな開口としている。